【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取装置において、
透明部材と、前記透明部材上に載置された原稿の画像を読み取る読取部と、を備える読取ユニットと、
前記読取ユニットに設けられ、前記読取部を制御する制御手段と、
前記読取ユニットに対して回動可能に設けられた原稿搬送ユニットと、
を有し、
前記原稿搬送ユニットは、
原稿を搬送する搬送部と、
前記画像読取装置の外部から無線通信によって情報を受信する通信ユニットが取り付けられる取付部と、
第１のケーブルによって前記通信ユニットに接続され、第２のケーブルによって前記制御手段に接続される接続部と、
を備え、
前記通信ユニットは、前記第１のケーブル、前記接続部、前記第２のケーブルを介して前記制御手段に電気的に接続され、
前記取付部と前記原稿搬送ユニットの回動軸との間の距離は、前記接続部と前記回動軸との間の距離よりも長いことを特徴とする画像読取装置。
【請求項２】
前記通信ユニットが受信する情報は、前記画像読取装置を使用する使用者に関する情報であることを特徴とする請求項１に記載の画像読取装置。
【請求項３】
前記画像読取装置は、前記第２のケーブルを前記原稿搬送ユニットから前記読取ユニットへとガイドするケーブルガイドを有することを特徴とする請求項１又は２に記載の画像読取装置。
【請求項４】
前記原稿搬送ユニットは、前記搬送部によって搬送される原稿の画像を読み取る第２の読取部と、前記第２の読取部と前記制御手段とを電気的に接続するための第３のケーブルと、を備え、
前記ケーブルガイドは、前記第３のケーブルをガイドすることを特徴とする請求項３に記載の画像読取装置。
【請求項５】
前記原稿搬送ユニットが前記読取ユニットに対して閉じた位置に位置している状態において、前記回動軸に垂直且つ前記原稿が載置される前記透明部材の面に平行な方向において、前記接続部及び前記ケーブルガイドは、前記原稿搬送ユニットの中心よりも前記回動軸に近い側に設けられていることを特徴とする請求項３又は４に記載の画像読取装置。
【請求項６】
前記回動軸に平行な方向において、前記接続部は、前記原稿搬送ユニットの中心に関して前記取付部と同じ側に設けられることを特徴とする請求項１乃至５のいずれか一項に記載の画像読取装置。
【請求項７】
前記取付部は、前記通信ユニットを支持する支持容器であって、前記第１ケーブルを前記支持容器の外部へと延長させるための開口部を有する支持容器を備え、
前記回動軸に平行な方向において、前記開口部は、前記支持容器の中心に関して前記接続部に近い位置に設けられていることを特徴とする請求項１乃至６のいずれか一項に記載の画像読取装置。
【請求項８】
前記通信ユニットは、カードリーダであることを特徴とする請求項１乃至７のいずれか一項に記載の画像読取装置。
【請求項９】
透明部材と、前記透明部材上に載置された原稿の画像を読み取る読取部と、を備える読取ユニットと、
前記読取ユニットによって得られた前記原稿の画像情報に基づいて、記録媒体に画像を形成する画像形成部と、
前記読取部を制御する制御手段と、
前記読取ユニットに対して回動可能に設けられた原稿搬送ユニットと、
を有し、
前記原稿搬送ユニットは、
原稿を搬送する搬送部と、
前記読取ユニットの外部から無線通信によって情報を受信する通信ユニットが取り付けられる取付部と、
第１のケーブルによって前記通信ユニットに接続され、第２のケーブルによって前記制御手段に接続される接続部と、
を備え、
前記通信ユニットは、前記第１のケーブル、前記接続部、前記第２のケーブルを介して前記制御手段に電気的に接続され、
前記取付部と前記原稿搬送ユニットの回動軸との間の距離は、前記接続部と前記回動軸との間の距離よりも長いことを特徴とする画像形成装置。
【請求項１０】
前記通信ユニットが受信する情報は、前記読取ユニットを使用する使用者に関する情報であることを特徴とする請求項９に記載の画像形成装置。
【請求項１１】
前記画像形成装置は、前記第２のケーブルを前記原稿搬送ユニットから前記読取ユニットへとガイドするケーブルガイドを有することを特徴とする請求項９又は１０に記載の画像形成装置。
【請求項１２】
前記原稿搬送ユニットは、前記搬送部によって搬送される原稿の画像を読み取る第２の読取部と、前記第２の読取部と前記制御手段とを電気的に接続するための第３のケーブルと、を備え、
前記ケーブルガイドは、前記第３のケーブルをガイドすることを特徴とする請求項１１に記載の画像形成装置。
【請求項１３】
前記原稿搬送ユニットが前記読取ユニットに対して閉じた位置に位置している状態において、前記回動軸に垂直且つ前記原稿が載置される前記透明部材の面に平行な方向において、前記接続部及び前記ケーブルガイドは、前記原稿搬送ユニットの中心よりも前記回動軸に近い側に設けられていることを特徴とする請求項１１又は１２に記載の画像形成装置。
【請求項１４】
前記回動軸に平行な方向において、前記接続部は、前記原稿搬送ユニットの中心に関して前記取付部と同じ側に設けられることを特徴とする請求項９乃至１３のいずれか一項に記載の画像形成装置。
【請求項１５】
前記取付部は、前記通信ユニットを支持する支持容器であって、前記第１ケーブルを前記支持容器の外部へと延長させるための開口部を有する支持容器を備え、
前記回動軸に平行な方向において、前記開口部は、前記支持容器の中心に関して前記接続部に近い位置に設けられていることを特徴とする請求項９乃至１４のいずれか一項に記載の画像形成装置。
【請求項１６】
前記通信ユニットは、カードリーダであることを特徴とする請求項９乃至１５のいずれか一項に記載の画像形成装置。
【手続補正２】
【補正対象書類名】明細書
【補正対象項目名】０００１
【補正方法】変更
【補正の内容】
【０００１】
本発明は、原稿の画像を読み取る画像読取装置及びこれを具備する画像形成装置に関するものである。
【手続補正３】
【補正対象書類名】明細書
【補正対象項目名】０００７
【補正方法】変更
【補正の内容】
【０００７】
柔軟に対応するためにユーザの要望に応じて市場でサービスマンが認証装置の設置を行うが、この際にサービスマンの作業時間が少なくて済むように認証装置を原稿搬送装置に容易に設置できることが望まれている。
上記課題に鑑み、本発明は、通信ユニットを原稿搬送ユニットに容易に取り付けることができる画像読取装置を提供することを目的とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明に係る画像読取装置の一態様は、
原稿の画像を読み取る画像読取装置において、
透明部材と、前記透明部材上に載置された原稿の画像を読み取る読取部と、を備える読取ユニットと、
前記読取ユニットに設けられ、前記読取部を制御する制御手段と、
前記読取ユニットに対して回動可能に設けられた原稿搬送ユニットと、
を有し、
前記原稿搬送ユニットは、
原稿を搬送する搬送部と、
前記画像読取装置の外部から無線通信によって情報を受信する通信ユニットが取り付けられる取付部と、
第１のケーブルによって前記通信ユニットに接続され、第２のケーブルによって前記制御手段に接続される接続部と、
を備え、
前記通信ユニットは、前記第１のケーブル、前記接続部、前記第２のケーブルを介して前記制御手段に電気的に接続され、
前記取付部と前記原稿搬送ユニットの回動軸との間の距離は、前記接続部と前記回動軸との間の距離よりも長いことを特徴とする。
【手続補正６】
【補正対象書類名】明細書
【補正対象項目名】００１０
【補正方法】変更
【補正の内容】
【００１０】
本発明によれば、通信ユニットを原稿搬送ユニットに容易に取り付けることができる画像読取装置を提供することができる。